(57)【要約】【課題】両面接着テープに生じる皺を原因とするスピーカ保護ネットの歪曲を抑えるスピーカ保護板、該スピーカ保護板を備えた表示装置及びテレビジョン受信機を提供する。【解決手段】スピーカ保護板１は、曲板２１の第１平板２１ａ、第２平板２１ｃに両面接着テープ３の接着部３ａ、３ｃが接着されている。接着部３ａ、３ｃはスピーカ保護ネット４と接着されている。また、スピーカ保護ネット４と曲板２１との間に間隙を設けるよう、曲部２１ｂにリブ２１ｄが備えられている。【選択図】図４
2013187710.tif 000002
【特許請求の範囲】
【請求項１】
曲板の凸面に、両面接着テープを介してスピーカ保護ネットが接着されているスピーカ保護板において、
前記スピーカ保護ネットと前記曲板との間に間隙を設けるリブ又は溝を前記凸面に備える
ことを特徴とするスピーカ保護板。
【請求項２】
前記両面接着テープは、接着力が他の箇所より弱い弱接着部が前記リブ又は溝に対向する位置に設けられている
ことを特徴とする請求項１に記載のスピーカ保護板。
【請求項３】
前記両面接着テープは、接着力が他の箇所より弱い弱接着部が前記リブ又は溝に対向する位置の周辺に設けられている
ことを特徴とする請求項１に記載のスピーカ保護板。
【請求項４】
映像を表示する表示部と
該表示部が表示する映像に対応する音を放つスピーカと、
該スピーカを覆う請求項１から３のいずれか一つに記載のスピーカ保護板と
を備えることを特徴とする表示装置。
【請求項５】
テレビジョン放送を受信する受信部と、
該受信部から受信したテレビジョン放送に基づいて映像を表示する表示部と、
前記受信部から受信したテレビジョン放送に基づいて放音するスピーカと、
該スピーカを覆う請求項１から３のいずれか一つに記載のスピーカ保護板と
を備えることを特徴とするテレビジョン受信機。 
【発明の詳細な説明】
【技術分野】
【０００１】
本発明は、スピーカ保護板、該スピーカ保護板を備える表示装置及びテレビジョン受信機に関する。
【背景技術】
【０００２】
液晶テレビ、有機ＥＬ(Electro Luminescence)テレビ又はプラズマディスプレイテレビ等のテレビジョン受信機には、正面下部の左右夫々にスピーカが設けられたものがある。斯かるスピーカは、テレビジョン受信機の左右方向に沿って該スピーカの正面側に設けられた横長のスピーカ保護板により保護されている。スピーカ保護板は、曲げ線が横方向に延びる直線状をなして正面側に突出しており、スピーカの正面にあたる位置夫々に放音用の孔が設けられた曲板を備え、該曲板の正面を覆うスピーカ保護ネットが、両面接着テープを介して接着されている。
【０００３】
スピーカ保護板の製造過程では、両面接着テープの一面に接着されたスピーカ保護ネットが曲板に沿うよう曲げられた後、両面接着テープの他面が曲板に接着される。
【先行技術文献】
【特許文献】
【０００４】
【特許文献１】特開２０１０−２０１８４３号公報
【発明の概要】
【発明が解決しようとする課題】
【０００５】
ここで、両面接着テープを接着されたスピーカ保護ネットが曲げられた場合、両面接着テープの曲がった箇所に皺が発生し、スピーカ保護ネットが歪曲するという問題があった。
【０００６】
本発明は斯かる問題点に基づいてなされたものであり、両面接着テープに生じる皺を原因とするスピーカ保護ネットの歪曲を抑えるスピーカ保護板、該スピーカ保護板を備えた表示装置及びテレビジョン受信機の提供を目的とする。
【課題を解決するための手段】
【０００７】
本発明に係るスピーカ保護板は、曲板の凸面に、両面接着テープを介してスピーカ保護ネットが接着されているスピーカ保護板において、前記スピーカ保護ネットと前記曲板との間に間隙を設けるリブ又は溝を前記凸面に備えることを特徴とする。
【０００８】
本発明によれば、リブ又は溝により曲板とスピーカ保護ネットとの間に間隙が設けられ、該間隙に両面テープの皺が配されるので、皺を原因とするスピーカ保護ネットの歪曲を抑えることができる。
【０００９】
本発明に係るスピーカ保護板は、前記両面接着テープは、接着力が他の箇所より弱い弱接着部が前記リブ又は溝に対向する位置に設けられていることを特徴とする。
【００１０】
本発明によれば、弱接着部を設けることにより、両面接着テープの弱接着部に生じる皺をリブ又は溝付近に寄せやすくなる。
【００１１】
本発明に係るスピーカ保護板は、前記両面接着テープは、接着力が他の箇所より弱い弱接着部が前記リブ又は溝に対向する位置の周辺に設けられていることを特徴とする。
【００１２】
本発明によれば、弱接着部が前記リブ又は溝に対向する位置の周辺に設けられている。つまり、接着力を有する接着部が前記リブ又は溝に対向する位置に設けられ、弱接着部が前記接着部の周辺に設けられている。従って、リブ又は溝に両面接着テープが接着されて位置が固定される。さらに、両面接着テープの弱接着部に生じる皺をリブ又は溝付近に寄せやすくなる。
【００１３】
本発明に係る表示装置は、映像を表示する表示部と該表示部が表示する映像に対応する音を放つスピーカと、該スピーカを覆う上述のスピーカ保護板とを備えることを特徴とする。
【００１４】
本発明によれば、表示装置におけるスピーカ保護板にて、皺を原因とするスピーカ保護ネットの歪曲を抑えることができる。
【００１５】
本発明に係るテレビジョン受信機は、テレビジョン放送を受信する受信部と、該受信部から受信したテレビジョン放送に基づいて映像を表示する表示部と、前記受信部から受信したテレビジョン放送に基づいて放音するスピーカと、該スピーカを覆う上述のスピーカ保護板とを備えることを特徴とする。
【００１６】
本発明によれば、テレビジョン受信機におけるスピーカ保護板にて、両面接着テープの皺を原因とするスピーカ保護ネットの歪曲を抑えることができる。
【発明の効果】
【００１７】
本発明によれば、両面接着テープの皺を原因とするスピーカ保護ネットの歪曲を抑えることができる。
【図面の簡単な説明】
【００１８】
【図１】テレビジョン受信機を示す正面図である。
【図２】テレビジョン受信機を示す側断面図である。
【図３】スピーカ保護板を示す模式的斜視図である。
【図４】スピーカ保護板を示す模式的縦断面図である。
【図５】スピーカ覆体を示す模式的斜視図である。
【図６】平面状に広げた両面接着テープを示す模式図である。
【図７】スピーカ保護ネットに生じる歪曲を、リブによって抑えることができることを示したリブの拡大縦断面図である。
【図８】平面状に広げた変形例に係る両面接着テープを示す模式図である。
【図９】スピーカ保護ネットに生じる歪曲を、リブによって抑えることができることを示したリブの拡大縦断面図である。
【図１０】スピーカ保護板を示す模式的縦断面図である。
【図１１】スピーカ保護板を示す模式的縦断面図である。
【発明を実施するための形態】
【００１９】
第１の実施の形態
図１及び図２はテレビジョン受信機１０を示す正面図及び側断面図である。テレビジョン受信機１０は矩形板状をなす台座１１を備える。該台座１１の上面には矩形板状をなすシャーシ１３を横長起立姿勢で支持する支持板１２が略垂直に設けられており、支持板１２の上端部にシャーシ１３の背面下部の中央部が接続されている。
【００２０】
また、シャーシ１３の正面には矩形板状をなす表示部１５が固定されており、背面にはシャーシ１３と平行に回路基板１４が固定されている。回路基板１４はテレビジョン放送を受信するチューナ、及び該チューナが受信した映像を適式な映像信号及び音声信号に変換し出力する処理回路等を備える。処理回路は映像信号を表示部１５に出力し、表示部１５は映像信号に従い映像を表示する。
【００２１】
表示部１５は、矩形の枠状をなす樹脂製のフロントキャビネット１７の枠内に固定されている。シャーシ１３の背面は、樹脂製のバックキャビネット１６に覆われている。バックキャビネット１６は略矩形板状の背面板と、該背面板の四辺から略垂直に延びた側部とから構成されている。バックキャビネット１６とフロントキャビネット１７とは、横方向が同じ長さであり、縦方向がバックキャビネット１６の方が長く、夫々の上部及び両側部の縁が接合している。
【００２２】
シャーシ１３の下側は、横長矩形のスピーカ取付板１８の上側と接合されており、スピーカ取付板１８の正面には、左右夫々にスピーカ１９、１９が取り付けられている。スピーカ１９、１９は、処理回路がテレビジョン放送を変換した音声信号に従い、放音する。スピーカ１９、１９は正面側が、横長のスピーカ保護板１に覆われている。スピーカ保護板１は、その背面側の周縁が、スピーカ取付板１８の正面側周縁に固定されている。
【００２３】
スピーカ保護板１についてさらに説明する。図３及び図４はスピーカ保護板１を示す模式的斜視図及び縦断面図である。図５はスピーカ覆体２を示す模式的斜視図である。スピーカ保護板１は、縦断面が略Ｖ字状をなす樹脂製のスピーカ覆体２を備える。スピーカ覆体２の凸面に両面接着テープ３を介してスピーカ保護ネット４が接着されている。
【００２４】
スピーカ覆体２は、スピーカ１９、１９の正面側及び下側を覆う曲板２１と、スピーカ１９、１９の側部を覆う側板２２、２２とを備える。
【００２５】
曲板２１は、下側を覆う横長矩形の第１平板２１ａと、該第１平板２１ａの正面側の一辺から上方背面側に曲がった曲部２１ｂと、該曲部２１ｂの上部から上方背面側に延び、スピーカ１９、１９の正面側を覆う横長矩形の第２平板２１ｃとを備える。曲部２１ｂの稜線は横長略直線状であり、該曲部２１ｂには、該稜線に沿って左右両端に亘るリブ２１ｄが設けられている。また第２平板２１ｃの左右夫々には、長方形状をなす放音孔２１ｅ、２１ｅがスピーカ１９、１９の正面側に設けられている。なお、曲板２１は、例えば縦断面が湾曲した形状をなしていてもよく、Ｕ字型をなしていてもよい。この場合、リブ２１ｄは曲板２１の湾曲又は屈曲した箇所に沿って設けられる。
【００２６】
側板２２、２２は、第１平板２１ａ、曲部２１ｂ及び第２平板２１ｃの側部に倣う略三角形の平板状をなし、曲板２１の左右方向両側を閉鎖している。
【００２７】
両面接着テープ３はポリエチレン製であり、図４に示す通り、曲板２１の外面全体を覆うように該曲板２１の凸面に接着されている。
図６は平面状に広げた両面接着テープ３を示す模式図である。両面接着テープ３は、横長略矩形状をなし、第１平板２１ａ及び第２平板２１ｃに対向する位置に設けられた帯状をなす接着部３ａ、３ｃと、リブ２１ｄに対向する位置に設けられ、接着部３ａ、３ｃより接着力が弱い帯状をなす弱接着部３ｂとを備える。接着部３ａは第１平板２１ａと接着し、接着部３ｃは第２平板２１ｃと接着する。弱接着部３ｂは、両面共に接着部３ａ、３ｃより接着力が弱い。接着部３ａ、３ｃ及び弱接着部３ｂは、両面接着テープ３の長手方向に対して略平行に、両端に亘って設けられている。また、接着部３ｃは、放音孔２１ｅ、２１ｅと対向する箇所に孔部３ｅ、３ｅを有する。なお、両面接着テープ３の形状は、矩形に限定されない。
【００２８】
スピーカ保護ネット４は、外縁が両面接着テープ３と同じ横長略矩形状をなし、曲板２１の外面全体を覆うように両面接着テープ３と接着している。スピーカ保護ネット４は、例えば可撓性を有する樹脂製であり、全面に多数の細孔が設けられたパンチングシート、又はメッシュシートである。なお、パンチングシート及びメッシュシートは一例であり、スピーカ保護ネット４は放音孔２１ｅ、２１ｅを塞いでスピーカ１９、１９を保護し、且つスピーカ１９、１９が放つ音を透過できるような部材であれば、その材質又は形状等は特に限定されない。
【００２９】
次に、スピーカ覆体２の曲板２１に、スピーカ保護ネット４を貼着する工程を説明する。接着前のスピーカ保護ネット４は、平らな状態である。まず、両面接着テープ３の一面をスピーカ保護ネット４に接着する。次に、両面接着テープ３が接着されたスピーカ保護ネット４を曲板２１に沿うよう曲げる。そして、両面接着テープ３の他面を曲板２１に接着する。このようにして、両面接着テープ３を介してスピーカ保護ネット４を曲板２１に貼着することができる。
【００３０】
本実施の形態によれば、スピーカ保護ネット４の曲げ工程で両面接着テープ３に生じる皺を原因とするスピーカ保護ネット４の歪曲を、曲板２１に設けられたリブ２１ｄにより抑えることができる。
【００３１】
図７はスピーカ保護ネット４に生じる歪曲を、リブ２１ｄによって抑えることができることを示したリブ２１ｄの拡大縦断面図である。両面接着テープ３を接着されたスピーカ保護ネット４が曲げられた場合、両面接着テープ３の曲がった箇所に皺が発生する。しかし、図７に示すように曲板２１が曲部２１ｂにリブ２１ｄを設けることにより、曲部２１ｂの凸面とスピーカ保護ネット４との間に間隙が生じ、該間隙に皺が配されるので、スピーカ保護ネット４の歪曲を抑えることができる。
【００３２】
また、両面接着テープ３は、リブ２１ｄに対向する位置に弱接着部３ｃを有する。従って弱接着部３ｃに生じる皺は曲板２１に対して移動可能となるので、リブ２１ｄ付近の間隙に皺を寄せやすくすることができる。
【００３３】
曲板２１は、例えば縦断面が湾曲した形状をなしていてもよく、Ｕ字型をなしていてもよい。この場合、リブ２１ｄは曲板２１の湾曲又は屈曲した箇所に沿って設けられる。
【００３４】
（変形例）
図８は平面状に広げた変形例に係る両面接着テープ１０３を示す模式図である。両面接着テープ１０３は、横長略矩形状をなし、リブ２１ｄに対向する位置に設けられた帯状をなす接着部１０３ｄと、該接着部１０３ｄの短手方向両側に設けられた弱接着部１０３ｂ、１０３ｂとを備える。接着部１０３ｄ及び弱接着部１０３ｂ、１０３ｂは、両面接着テープ１０３の長手方向に対して略平行に、両端に亘って設けられている。弱接着部１０３ｂ、１０３ｂ夫々の短手方向外側には、帯状をなす接着部１０３ａ、１０３ｃが設けられている。接着部１０３ａ、１０３ｃは、両面接着テープ１０３の長手方向に対して略平行に、両端に亘って設けられている。接着部１０３ｃは、放音孔２１ｅ、２１ｅと対向する箇所に孔部１０３ｅ、１０３ｅを有する。
【００３５】
図９はスピーカ保護ネット４に生じる歪曲を、リブ２１ｄによって抑えることができることを示したリブ２１ｄの拡大縦断面図である。両面接着テープ１０３は、接着部１０３ｄがリブ２１ｄと接着して位置が固定される。
【００３６】
スピーカ覆体２の曲板２１に、スピーカ保護ネット４を貼着する工程において、両面接着テープ１０３が接着されたスピーカ保護ネット４を曲板２１に接着する際に、まず接着部１０３ｄをリブ２１ｄに接着させる。これにより曲板２１に対する接着部１０３ｄの位置が固定される。次いで、接着部１０３ｄを位置決めした状態で他の接着部１０３ａ、１０３ｃを曲板２１に接着する。従って、スピーカ保護ネット４を特定の位置に貼着することができる。
【００３７】
また、両面接着テープ１０３を接着されたスピーカ保護ネット４が曲げられた場合、両面接着テープ１０３の曲がった箇所に皺が発生する。しかし、図９に示すように曲板２１にリブ２１ｄを設けることにより、曲板２１とスピーカ保護ネット４との間に間隙が生じ、該間隙に皺が配されるので、スピーカ保護ネット４の歪曲を抑えることができる。
【００３８】
なお、両面接着テープには、長手方向の一端から他端までスピーカ保護ネットの歪曲を抑えることができるよう、弱接着部が長手方向の両端に亘って設けられているが、剥離を防止するため、長手方向における弱接着部の長さを両面接着テープの長さより短くするようにしてもよい。
【００３９】
スピーカ保護板１はテレビジョン受信機１０における下部に限らず側部又は上部に設けられていてもよい。また、スピーカ保護板１はテレビジョン受信機１０に限らず例えば、液晶ディスプレイ、プラズマディスプレイ又は有機ＥＬ(Electro Luminescence)ディスプレイ等を備える表示装置に備えられていてもよい。
【００４０】
第２の実施の形態
第２の実施の形態について説明する。本実施の形態では、リブに代えて溝２０１ｆが設けられている。図１０はスピーカ保護板を示す模式的縦断面図である。曲部２０１ｂには、稜線に沿って左右両端に亘る溝２０１ｆが設けられている。両面接着テープ３の弱接着部３ｃは溝２０１ｆと対向する。
【００４１】
両面接着テープ３を接着されたスピーカ保護ネット４が曲げられた場合、両面接着テープ３の曲がった箇所に皺が発生する。しかし、曲部２０１ｂに溝２０１ｆを設けることにより、曲板の凸面とスピーカ保護ネット４との間に間隙が生じ、該間隙に皺が配されるので、スピーカ保護ネット４の歪曲を抑えることができる。
【００４２】
図１１はスピーカ保護板を示す模式的縦断面図である。曲板の凸面とスピーカ保護ネット４との間に間隙を設ける構造であれば、溝２０１ｆに限らず、例えば曲部３０１ｂの一部が平坦になった構造３０１ｇであってもよい。その他曲部の一部が削られた構造であってもよい。
【００４３】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００４４】
１  スピーカ保護板
２  スピーカ覆体
３、１０３  両面接着テープ
３ａ、３ｃ、１０３ａ、１０３ｃ、１０３ｄ  接着部
３ｂ、１０３ｂ  弱接着部
４  スピーカ保護ネット
１０  テレビジョン受信機  
１１  台座
１２  支持板
１３  シャーシ
１４  回路基板
１５  表示部  
１６  バックキャビネット
１７  フロントキャビネット
１８  スピーカ取付板
１９  スピーカ
２１  曲板
２１ａ、２０１ａ、３０１ａ  第１平板
２１ｂ、２０１ｂ、３０１ｂ  曲部
２１ｃ、２０１ｃ、３０１ｃ  第２平板
２１ｄ  リブ
２１ｅ  孔部
２２  側部
２０１ｆ  溝部
３０１ｇ  構造
【図１】
2013187710.tif 000003
【図２】
2013187710.tif 000004
【図３】
2013187710.tif 000005
【図４】
2013187710.tif 000006
【図５】
2013187710.tif 000007
【図６】
2013187710.tif 000008
【図７】
2013187710.tif 000009
【図８】
2013187710.tif 000010
【図９】
2013187710.tif 000011
【図１０】
2013187710.tif 000012
【図１１】
2013187710.tif 000013